(57)【要約】【課題】使用者が接近停止状態となる前の接近途中の状態で主点灯モードが実行され、使用者がターゲット位置がボウル面上に指示されたことにより立ち止まり、立ち止まった位置から放尿を行うことにより尿が小便器本体の外側に出てしまうことを抑制することができる小便器装置を提供する。【解決手段】本発明の小便器装置１は、使用者の速度の変化を検知する検知装置１６と、ターゲット位置をボウル面上に指示する光照射装置１２と、制御装置２０と、を有し、制御装置２０は、検知装置による使用者の検知に基づいて開始され、使用者の立ち止まりを抑制するように光照射装置１２を制御する主点灯前モードと、検知装置による検知により使用者が接近停止状態となったとの判断に基づいて開始され、使用者が小便を当てるべきターゲット位置をボウル面上に指示するように光照射装置１２を制御する主点灯モードとを備える。【選択図】図１１
2020122321.tif 000002
【特許請求の範囲】
【請求項１】
使用者が小便を当てるべきターゲット位置の指示機能を備えた小便器装置であって、
小便を受ける上記ボウル面及びこのボウル面の底部に設けられた排水口を備えた小便器本体と、
上記ボウル面に取り付けられ、上記ボウル面に洗浄水を吐水する吐水装置と、
上記小便器本体に接近する使用者の速度の変化又は上記小便器本体までの距離の変化を検知する検知装置と、
上記ボウル面上に光を照射することにより、使用者が小便を当てるべきターゲット位置を上記ボウル面上に指示する光照射装置と、
上記検知装置による検知に基づいて、上記光照射装置からの光の照射を制御する制御装置と、を有し、
上記制御装置は、
上記検知装置による使用者の検知に基づいて開始され、使用者の立ち止まりを抑制するように上記光照射装置を制御する主点灯前モードと、
上記検知装置による検知により使用者が接近停止状態となったとの判断に基づいて開始され、使用者が小便を当てるべきターゲット位置を上記ボウル面上に指示するように上記光照射装置を制御する主点灯モードと、
を備えることを特徴とする小便器装置。
【請求項２】
さらに、使用者に使用者を検知している状態であることを光により報知する報知装置を備え、
上記制御装置は、上記検知装置によって使用者の接近動作が検知されているときに上記報知装置による報知を実行させる、請求項１に記載の小便器装置。
【請求項３】
上記光照射装置及び上記報知装置は、上記吐水装置内に収納される、請求項２に記載の小便器装置。
【請求項４】
さらに、上記ボウル面に対して放尿された尿流を検知する尿流検知装置を備え、
上記制御装置は、上記主点灯モードにおいて、上記尿流検知装置によって検知した尿流の状態に応じて照射される光の状態を変化させるように上記光照射装置を制御する、請求項１乃至３の何れか１項に記載の小便器装置。
【発明の詳細な説明】
【技術分野】
【０００１】
本発明は、小便器装置に関し、特に、使用者が小便を当てるべきターゲット位置の指示機能を備えた小便器装置に関する。
【背景技術】
【０００２】
特許文献１に示すように、マイクロ波センサにより使用者の接近を検知したとき、光照射装置からボウル面に対してターゲットマークとなる光を照射することで小便を当てる位置をガイドし、小便の小便器外への飛び散りを抑制させる小便器装置が知られている。
【先行技術文献】
【特許文献】
【０００３】
【特許文献１】特開２０１８−４０２４０号公報
【発明の概要】
【発明が解決しようとする課題】
【０００４】
しかしながら、特許文献１に記載されているように、使用者の接近の検知に対し、光照射装置がターゲットマークとなる光を照射する場合、ターゲットマークが照射されたことに気付いた（視認した）使用者が立ち止まり、その立ち止まった位置にて放尿を開始してしまう問題がある。従って、このような使用者は小便器本体へ十分に接近していない接近途中の位置で放尿を開始してしまう。このため、光照射装置によるターゲットマークの照射によって小便を当てる位置をガイドし、小便の小便器外への飛び散りを抑制させようとしているにも関わらず、小便が小便器の外に出てしまうことを十分に抑制できないおそれがある。
【０００５】
従って、本発明は、使用者が接近停止状態となる前の接近途中の状態で主点灯モードが実行され、使用者がターゲット位置がボウル面上に指示されたことにより立ち止まり、立ち止まった位置から放尿を行うことにより尿が小便器本体の外側に出てしまうことを抑制することができる小便器装置を提供することを目的としている。
【課題を解決するための手段】
【０００６】
上述した課題を解決するために、本発明は、使用者が小便を当てるべきターゲット位置の指示機能を備えた小便器装置であって、小便を受ける上記ボウル面及びこのボウル面の底部に設けられた排水口を備えた小便器本体と、上記ボウル面に取り付けられ、上記ボウル面に洗浄水を吐水する吐水装置と、上記小便器本体に接近する使用者の速度の変化又は上記小便器本体までの距離の変化を検知する検知装置と、上記ボウル面上に光を照射することにより、使用者が小便を当てるべきターゲット位置を上記ボウル面上に指示する光照射装置と、上記検知装置による検知に基づいて、上記光照射装置からの光の照射を制御する制御装置と、を有し、上記制御装置は、上記検知装置による使用者の検知に基づいて開始され、使用者の立ち止まりを抑制するように上記光照射装置を制御する主点灯前モードと、上記検知装置による検知により使用者が接近停止状態となったとの判断に基づいて開始され、使用者が小便を当てるべきターゲット位置を上記ボウル面上に指示するように上記光照射装置を制御する主点灯モードとを備えることを特徴としている。
このように構成された本発明によれば、制御装置は、検知装置による使用者の上記小便器本体への接近動作の検知に基づいて開始され、使用者の立ち止まりを抑制するように上記光照射装置を制御する主点灯前モードと、検知装置による使用者の接近停止状態の検知に基づいて開始され、使用者が小便を当てるべきターゲット位置をボウル面上に指示するように光照射装置を制御する主点灯モードと、を備えている。これにより、制御装置は、主点灯モードを実行する前に、検知装置による使用者の小便器本体への接近動作の検知に基づいて開始される主点灯前モードを実行する。よって、使用者が接近停止状態となる前の接近している途中の状態で主点灯モードが実行され、使用者がターゲット位置がボウル面上に指示されたことにより接近途中で立ち止まり、使用者が立ち止まった位置から放尿を行うことにより尿が小便器本体の外側に出てしまうことを抑制することができる。
【０００７】
本発明において、好ましくは、さらに、使用者に使用者を検知している状態であることを光により報知する報知装置を備え、上記制御装置は、上記検知装置によって使用者の接近動作が検知されているときに上記報知装置による報知を実行させる。
このように構成された本発明によれば、制御装置は、検知装置によって使用者の接近動作が検知されているときに、報知装置により、使用者に使用者を検知している状態であることを光により報知することができる。よって、使用者が接近停止状態となる前に、光照射装置がターゲット位置をボウル面上に照射させなくとも、使用者は、自己が検知されている状態であることを報知装置により認識することができる。よって、使用者が小便器本体に接近中に使用者を検知していることを使用者に報知させ、使用者が小便器装置が故障していると誤認することを抑制できる。
【０００８】
本発明において、好ましくは、上記光照射装置及び上記報知装置は、上記吐水装置内に収納される。
このように構成された本発明によれば、光照射装置及び報知装置は、吐水装置内に収納されるので、小便器本体のボウル面に吐水装置が取付けられた状態で、光照射装置及び報知装置が吐水装置内に収納された状態となる。よって、光照射装置及び報知装置が独立して設けられることなく、小便器装置の意匠性の低下を抑制できる。また、ボウル面上の吐水装置に報知装置が設けられるので、使用者が報知装置を視認しやすくできる。
【０００９】
本発明において、好ましくは、さらに、上記ボウル面に対して放尿された尿流を検知する尿流検知装置を備え、上記制御装置は、上記主点灯モードにおいて、上記尿流検知装置によって検知した尿流の状態に応じて照射される光の状態を変化させるように上記光照射装置を制御する。
このように構成された本発明によれば、尿流の状態に応じて照射される光の状態を変化させるように光照射装置を制御することにより、例えば尿流が多い状態のときに光の照度を強める、又は例えば例えば尿流が比較的少ない状態のときに光の状態を点滅させる或いは光の照度を弱める等を実行させることができ、使用者に尿をターゲット位置に当てることを比較的強く意識させることができる。よって、尿が小便器本体の外側に出てしまうことをより抑制することができる。
【発明の効果】
【００１０】
本発明の小便器装置によれば、使用者が接近停止状態となる前の接近途中の状態で主点灯モードが実行され、使用者がターゲット位置がボウル面上に指示されたことにより立ち止まり、立ち止まった位置から放尿を行うことにより尿が小便器本体の外側に出てしまうことを抑制することができる。
【図面の簡単な説明】
【００１１】
【図１】本発明の一実施形態による小便器装置を示す斜視図である。
【図２】本発明の一実施形態による小便器装置の断面図である。
【図３】本発明の一実施形態による小便器装置において使用者視点での光照射装置からの照射イメージおよび投影された輝点を示す小便器装置の上方からの斜視図である。
【図４】本発明の一実施形態による小便器装置の背面図である。
【図５】本発明の一実施形態による小便器装置に取り付けられているスプレッダーを示す部分拡大断面図である。
【図６】本発明の一実施形態による小便器装置のスプレッダーに設けられる光照射装置の分解斜視図である。
【図７】本発明の一実施形態による小便器装置のスプレッダーに光照射装置および報知装置が組込まれた状態を、スプレッダーカバーを除いて示す部分分解斜視図である。
【図８】本発明の一実施形態による小便器装置のスプレッダーに組込まれる軸受け部材の斜視図である。
【図９】本発明の一実施形態による小便器装置のスプレッダーに光照射装置および報知装置が組込まれた状態を、スプレッダー本体を除いて示す部分分解背面図である。
【図１０】本発明の一実施形態による小便器装置の人体検知センサの動作を説明するブロック図である。
【図１１】本発明の一実施形態による小便器装置において、使用者の位置、使用者の接近判定、光照射装置の作動状態を示すタイミングチャートである。
【図１２】本発明の一実施形態による小便器装置の第１変形例において、使用者の位置、使用者の接近状態判定、光照射装置の作動状態を示すタイミングチャートである。
【図１３】本発明の一実施形態による小便器装置の第２変形例において、使用者位置、使用者の接近状態判定、光照射装置の作動状態を示すタイミングチャートである。
【図１４】本発明の一実施形態による小便器装置の第３変形例において、使用者の位置、使用者の接近状態判定、光照射装置の作動状態を示すタイミングチャートである。
【図１５】本発明の一実施形態による小便器装置の制御装置における使用者の検知から接近停止状態の判定の制御内容を示すフローチャートである。
【図１６】本発明の一実施形態による小便器装置において、使用者の接近速度が所定の閾値未満となる場合に、制御装置が接近停止状態と判定する様子を示すタイミングチャートである。
【図１７】本発明の一実施形態による小便器装置において、使用者の距離の変化量が所定の閾値未満となる場合に、制御装置が接近停止状態と判定する様子を示すタイミングチャートである。
【図１８】本発明の一実施形態による小便器装置において、使用者の離反状態の動作が行われた場合に、制御装置が接近停止状態と判定する様子を示すタイミングチャートである。
【図１９】本発明の一実施形態による小便器装置の制御装置における主点灯モードにおいて、光照射装置の照度、及び光照射装置の作動状態を示すタイミングチャートである。
【図２０】本発明の一実施形態による小便器装置の第４変形例の制御装置における主点灯モードにおいて、光照射装置の照度、及び光照射装置の作動状態を示すタイミングチャートである。
【図２１】本発明の一実施形態による小便器装置の第５変形例の制御装置における主点灯モードにおいて、光照射装置の照度、及び光照射装置の作動状態を示すタイミングチャートである。
【図２２】本発明の一実施形態による小便器装置の第６変形例の制御装置における主点灯モードにおいて、光照射装置の照度、及び光照射装置の作動状態を示すタイミングチャートである。
【図２３】本発明の一実施形態による小便器装置の第７変形例の制御装置における主点灯モードにおいて、光照射装置の照度、及び光照射装置の作動状態を示すタイミングチャートである。
【発明を実施するための形態】
【００１２】
次に、添付図面を参照して、本発明の一実施形態による小便器装置を説明する。
まず、図１乃至図５を参照して、本発明の一実施形態による小便器装置を説明する。図１は本発明の一実施形態による小便器装置を示す斜視図であり、図２は本発明の一実施形態による小便器装置の断面図であり、図３は本発明の一実施形態による小便器装置を使用者視点での光照射装置からの照射イメージおよび投影された輝点を示す小便器装置の上方からの斜視図であり、図４は本発明の一実施形態による小便器装置の背面図であり、図５は本発明の一実施形態による小便器装置に取り付けられているスプレッダーを示す部分拡大断面図である。
なお、小便器装置の「後方」は、壁面に当接する小便器装置の背面側の方向とし、小便器装置の「前方」は、小便器装置を使用する使用者側から見て手前側の方向（「後方」の反対方向）とし、小便器装置を前方から見て右側の方向を右方向とし、前方から見て左側の方向を左方向とし、右方向及び左方向を小便器装置の側方として説明している。
【００１３】
図１及び図２に示すように、本発明の一実施形態の小便器装置１は、壁面Ｗに取り付けて使用する壁掛け形の小便器装置である。小便器装置１は、使用者が小便を当てるべきターゲット位置の指示機能を備えている。小便器装置１は、前方側に形成された小便器本体２を備えている。小便器本体２は、使用者の小便を受けるボウル面４と、このボウル面４の底部に設けられた排水口である排水口部６とを備えている。
【００１４】
ボウル面４は、小便器本体２の中央部分から上端まで壁面Ｗと概ね平行に延びる正面部４ａと、この正面部４ａの両側から、小便器装置１の前端部に向けて延びる側面部４ｂから構成されている。よって、正面部４ａ及び側面部４ｂの上方は開放されており、ボウル面４にはその上端において正面部４ａから前方側に突出する「天井面」に相当する部分が形成されていない。このように、正面部４ａは、その上部においては概ね平面状に構成され、下方にかけて前方側にせり出すように湾曲して形成されている。
【００１５】
図２に示すように、さらに、小便器本体２には、排水口部６と連通するように下方に向けて延びる下降管８ａと、この下降管８ａの下端から折り返して上方に向けて延びる上昇管８ｂと、この上昇管８ｂの上端から壁面Ｗに向けて水平に延びる排出口８ｃが設けられている。下降管８ａ及び上昇管８ｂはトラップ管路として機能する。排出口８ｃは排水フランジ９ａを介して排水配管９ｂに接続されており、排水配管９ｂは、壁面Ｗを通って壁面Ｗの裏側まで延び、排水設備（図示せず）まで延びている。排水口部６を覆うように、概ね円盤状の目皿１１が配置されている。
【００１６】
図３乃至図５に示すように、小便器装置１は、さらに、ボウル面４に取り付けられ、ボウル面４に洗浄水を吐水する吐水装置であるスプレッダー１０と、ボウル面４上に光を照射することにより、使用者が小便を当てるべきターゲット位置をボウル面４上に指示する光照射装置１２と、小便器装置１の動作状態、例えば人体検知センサ１６が人体検知領域内において人体の存在を検知していること、自動洗浄などの自動運転中であること、また、何らかの不具合を生じていること等を光により報知する報知装置１４と、小便器装置１の前に立つ使用者を検知する検知装置である人体検知センサ１６と、ボウル面４に対して放尿された尿流を検知する尿流検知装置である尿流検知センサ１８と、人体検知センサ１６及び／又は尿流検知センサ１８による検知に基づいて、光照射装置１２からの光の照射を制御する制御装置２０とを有している。
【００１７】
図１に示すように、スプレッダー１０は、正面部４ａの左右方向中央の上部に取り付けられている。図４に示すようにスプレッダー１０は、洗浄水を吐水口部１３から吐出することにより、ボウル面４を洗浄するようになっている。スプレッダー１０は、正面部４ａに取り付けられるスプレッダー本体２２と、スプレッダー本体２２の前方側を覆うように形成されるスプレッダーカバー２４と、吐水口部１３からボウル面４の正面部４ａの裏側へ延びる導水路２６とを備えている。本実施形態におけるスプレッダー１０は、このような吐水機能に加えて、後述するように光照射装置を備えた光照射機能付きスプレッダーである。
【００１８】
スプレッダー本体２２は、正面部４ａの開口に取付けられている。スプレッダー本体２２は、正面部４ａの前側において概ね円柱状の外形を形成している。スプレッダー本体２２は、樹脂により形成されている。スプレッダーカバー２４は、概ね円筒状のキャップ部分の外形を形成し、スプレッダー本体２２の外径よりも大きな内径を有している。スプレッダーカバー２４は、前面が円形に形成され、側面の外周のうち下部の一部が開口されている。スプレッダーカバー２４は、樹脂により形成されている。
【００１９】
スプレッダー本体２２及びスプレッダーカバー２４は、洗浄水を吐出する吐水口部１３を形成している。吐水口部１３は、スプレッダー１０の正面部４ａの取付面部分に沿って延びる薄型の開口であり、下方に向けて扇形に広がるように形成されている。洗浄水は、この吐水口部１３から下方に向けて吐出される。さらに、スプレッダー本体２２及びスプレッダーカバー２４は、光照射装置１２の下方の照射開口部２８を形成している。
【００２０】
導水路２６は、ボウル面４の正面部４ａを貫通して延びる管状の部分を形成し、洗浄水の給水源（図示せず）に接続される。吐水口部１３は、導水路２６と連通するように構成されており、導水路２６を介して供給された洗浄水を、下方に向けて吐水口部１３から吐出するように構成されている。これにより、図１の矢印Ｆに示すように、スプレッダー１０から吐出される洗浄水は、ボウル面４の正面部４ａに沿って下方に広がるように流れ、その一部は、ボウル面４の側面部４ｂに沿って小便器装置１の前端部まで導かれる。
図５に示すように、導水路２６には、給水源に接続された給水部材３２ａから電磁弁３４を介してスプレッダーの導水路２６に接続する給水部材３２ｂを経由して洗浄水が供給される。この電磁弁３４は、制御装置２０の制御信号に基づいて、所定のタイミングで開閉される。
【００２１】
制御装置２０は、光照射装置１２、報知装置１４、電磁弁３４、人体検知センサ１６及び尿流検知センサ１８と電気的に接続され、これらの装置の動作を制御する。例えば、制御装置２０は、光照射装置１２と電気的に接続され、光照射装置１２から所定のタイミングで所定の状態の光を射出させる。また例えば、制御装置２０は、報知装置１４とも電気的に接続され、報知装置１４から所定のタイミングで所定の状態の光を射出させる。制御装置２０は、マイクロプロセッサ、メモリ、インターフェイス回路、及びこれらを作動させるプログラム等（図示せず）を備えている。制御装置２０は、以下に説明する所定のモードを実行させるためのプログラム等を備え、所定のモード等を実行させる機能を有する。
【００２２】
制御装置２０は、人体検知センサ１６による接近する使用者の検知に基づいて開始され、使用者の立ち止まりを抑制するように光照射装置１２を制御する主点灯前モードと、人体検知センサ１６による検知により使用者が接近停止状態となったとの判断に基づいて開始され、使用者が小便を当てるべきターゲット位置をボウル面４上に指示するように光照射装置１２を制御する主点灯モードとを備える。
主点灯前モードは、人体検知センサ１６の検知状態において、主点灯モードを実行する前に、光照射装置１２を、光照射を行わずに待機させる待機モードを備えている。本実施形態においては、制御装置２０は、主点灯前モードの待機モードを、制御装置２０が接近停止状態を判定するまで実行させる。
【００２３】
光照射装置１２は、スプレッダー１０内に内蔵される。光照射装置１２は、スプレッダー本体２２に取付けられ、スプレッダーカバー２４とスプレッダー本体２２とが組み合わさった状態で、スプレッダー本体２２とスプレッダーカバー２４との間に配置される。光照射装置１２は、下方のボウル面４に向けてターゲットマークを形成する光を照射する。光照射装置１２は、ボウル面４の正面部４ａ上に光を照射することにより、照射光（照射イメージＬにより示す）がボウル面４上に照射されて輝点Ｔ（図２および３参照）を形成し、使用者が小便を当てるべき尿跳ねを低減できるターゲット位置をターゲットマークとしてボウル面４上に指示するように構成されている。よって、小便器装置１は、ターゲット位置の指示機能を備えている。図２に示すように、輝点Ｔを形成するボウル面４の正面部４ａの照射部位は曲面でかつ傾斜面であり、図３に示すように、使用者から見て視認性がよく適切な形状となるように構成されている。
【００２４】
輝点Ｔを適正な形状に形成することが可能な光照射装置１２の構成と、スプレッダー１０内に報知装置１４とともに収納される構成について、図５乃至図９にて説明する。図６は本発明の一実施形態による小便器装置のスプレッダーに設けられた光照射装置の分解斜視図であり、図７は本発明の一実施形態による小便器装置のスプレッダーに光照射装置および報知装置が組込まれた状態を、スプレッダーカバーを除いて示す部分分解斜視図であり、図８は本発明の一実施形態による小便器装置のスプレッダーに組込まれる軸受け部材の斜視図であり、図９は本発明の一実施形態による小便器装置のスプレッダーに光照射装置および報知装置が組込まれた状態を、スプレッダー本体を除いて示す部分分解背面図である。
図６に示すように、光照射装置１２は、光源となる第１発光ダイオード６０を備えた光照射基板６１と、第１発光ダイオード６０の光を集光する集光レンズ６５と、集光レンズ６５で集光された光がボウル面４に向けて照射される方向に配置され、レンズの面形状の組合せと相対位置により、輝点Ｔをボウル面４（４ａ）上で適正な大きさで形成させるとともに、輝点Ｔでの明るさの確保と、その焦点を合わせるための組合せレンズＡ６６および組合せレンズＢ６７と、これらを内部に適正な配置で保持する光照射装置本体６２とを備えている。なお本実施例では、小型かつ薄型で視認性の高い輝点Ｔを形成できるように、光照射装置１２は２枚の組合せレンズで構成しているが、視認性を確保できれば、組合せレンズ部は１枚で構成することも可能である。
光照射装置１２の内部に組込まれている各レンズは、レンズとしての機能だけでなく位置決め等も一体となった複雑な形状であるため、透明度が高いポリカーボネートやアクリル等の樹脂を採用している。
光照射装置本体６２の光を照射する側には、内部への水や洗剤等の薬品の浸入等を防止するためのシール材Ａ６８を介して、清掃時等で組合せレンズＢ６７が傷付くことを防止するためにガラス等の透過性が高く傷付きにくい材料の保護材６９が配置され、この保護材６９を保持するためのキャップ７０が設けられている。
また、第１発光ダイオード６０は、制御装置２０からの指令により、所定の状態（光の照度やパターン等）で発光するように制御される。第１発光ダイオード６０は、例えば、青色の光を発光する。第１発光ダイオード６０は、発光する光の照度を変更可能である。第１発光ダイオード６０を備える光照射基板６１はハーネス６４により制御装置２０と電気的に接続されている。
このため、光照射装置本体６２の光を照射する側と反対側の光照射基板６１側のハーネス６４を取り出す側も開口しており、スプレッダー１０への水掛け清掃等でスプレッダー１０内に浸入する水や洗剤等の薬品から保護するためや、第１発光ダイオード６０の光が照射と逆方向に漏れるのを防止するため、図５で示すように光の透過性の少ない黒色等の充填材Ａ６３で開口部分を塞いでいる。
さらに、図２および図３の光照射装置１２からの照射光を照射イメージＬにより示すように、光が照射されて輝点Ｔが形成される面は曲面でかつ傾斜面である小便器本体２のボウル面４（４ａ）であるため、照射部位で適正な形状となるように照射する光の形状を割り掛け補正する必要があり、光照射装置１２本体の内部には集光レンズ６５で集光した光を割り掛け補正した形状に絞り込むための絞り材７１を組込んでいる。
他にも、各レンズは透明度が高い樹脂で構成されているため、レンズ部位以外からの光の回り込みを抑制し、照射された輝点Ｔの輪郭を鮮明にするためにマスク材７２も組込んでいる。なお、光照射装置本体６２の内部の集光レンズ６５と組合せレンズＡ６６との間の導光路６２ｃ（図５参照）の内部は、壁面による反射の影響を抑えるため、抜き勾配を大きく取り、金型表面をエッチング処理した面で内壁面を構成している。
【００２５】
次に、報知装置１４の構成について説明する。報知装置１４は、使用者に使用者を検知している状態であることを光により報知する。報知装置１４も、スプレッダー１０内に内蔵される。報知装置１４は、スプレッダー本体２２の表示装置保持部２２ａに取付けられ、スプレッダーカバー２４とスプレッダー本体２２とが組み合わさった状態で、スプレッダー本体２２とスプレッダーカバー２４との間に配置される。
報知装置１４は、光をスプレッダー１０の前方に向けて照射する。報知装置１４の前方側の部分のスプレッダーカバー２４は光透過性を有するように形成されている。例えば、スプレッダーカバー２４は樹脂により形成され、部分的に薄肉にすることで光透過性を確保している。報知装置１４は、光源である第２発光ダイオード４０と、清掃時にボウル洗浄をしないようにしたり任意で洗浄できるようにしたりするモード、不具合内容を確認するモード、また光照射装置１２の照射光の明るさや点灯・点滅のパターンを切替えるモード等への切替えや各モード内でのスイッチとして機能させるための非接触型スイッチ４１、例えば磁力を利用してオン状態にするリードスイッチとを備えた報知基板４２と、これを収納する報知基板収納部３８ａを備えた報知装置本体３８を備えている。報知基板４２は、ハーネス４４により制御装置２０と電気的に接続されている。
【００２６】
第２発光ダイオード４０から発せられた光はスプレッダーカバー２４を透過してスプレッダーカバー２４の前方に射出される。第２発光ダイオード４０は、赤色の光を発光する。第２発光ダイオード４０は、制御装置２０からの指令により、小便器装置１の状態に応じて発光状態が変化する。第２発光ダイオード４０は、例えば、人体検知センサの人体検知状態に応じて発光する、また例えば制御装置２０の小便器装置１の機能として備えている各種動作モードやエラー等の状態に応じて発光するように制御装置２０により制御される。
報知装置本体３８の報知基板収納部３８ａの後方には、報知基板４２のハーネス４４と光照射基板６１のハーネス６４とを取り出し、スプレッダー本体２２の報知装置保持部２２ａに挿入する挿入部３８ｅを備える。
挿入部３８ｅには、報知基板収納部３８ａから引き込まれた光照射装置１２のハーネス６４と、報知装置１４のハーネス４４とをともに収納し、両ハーネスが小便器本体２の背面側に取り出せるようにされている。
報知基板収納部３８ａおよび挿入部３８ｅは、スプレッダー１０への水掛け清掃等でスプレッダー１０内に浸入する水や洗剤等の薬品から保護するため、充填材Ｂ３６や充填材３７で覆われている。特に充填材３６には、第２発光ダイオード４０が配置されているため、光の透過性が高いものが使用されている。
また、報知装置本体３８には報知基板収納部３８ａの他に、光照射装置１２を収納保持する光照射装置収納部３８ｂを備えている。光照射装置収納部３８ｂを構成する両側面には、図６で示す光照射装置本体６２の側面の組込み状態で下方側となる位置にある左右の下軸６２ｂを回転軸として支持する左右の軸支持部３８ｄが備えられ、さらに、光照射装置本体６２の側面の組込み状態で上方側となる位置にある上軸６２ａの位置する部位が切りかかれており、その横には前記上軸６２ａを支持する軸受け部材８０を保持する軸受け保持部３８ｃが設けられている。軸受け部材８０には図８に示すように、ガイド溝８０ｂの他に、ねじ穴８０ａが設けられており、ねじ穴８０ａに調整ねじ８１が螺合される。
光照射装置１２は、報知装置本体３８の光照射装置収納部３８ｂ内に、左右の軸支持部３８ｄにより光照射装置本体６２の左右の下軸６２ｂを支持されるとともに、光照射装置本体６２の上軸６２ａを軸受け保持部３８ｃに組込み状態で上下に移動可能に保持された軸受け部材８０の図８に示すガイド溝８０ｂで支持された状態で収納されている。
図９に示すように報知装置１４は、光照射装置１２を光照射装置収納部３８ｂに、調整ねじ８１を羅合させた軸受け部材８０を軸受け保持部３８ｃに保持した状態で、スプレッダーカバー２４の内部に固定ねじＡ８２で固定される。この際に調整ねじ８１のねじ頭８１ａは、スプレッダーカバー２４に設けられたねじ頭保持部２４ａにて保持され、上下方向の動きを規制された状態で固定される。
このように調整ねじ８１のねじ頭８１ａを保持しているので、調整ねじ８１を締め付ける方向に回すことで軸受け部材８０が下がり、光照射装置１２の上軸６２ａがガイド溝８０ｂにより前方に押出されて、輝点Ｔがボウル面４に近付く側に調整でき、逆に、調整ねじを緩める方向に回すことで軸受け部８０材が上がり、光照射装置１２の上軸６２ａがガイド溝により後方に押込まれて、輝点Ｔがボウル面４から遠ざかる側に調整できるようになっている。
また、スプレッダーカバー２４に調整ねじ８１を組込んだ状態で調整ねじ８１の直下となる部位には、調整ねじ８１を回す工具を差し込むための照射角度調整口２４ｂが備えられており、小便器本体２の製造誤差や部品間の組立誤差等による輝点Ｔの位置ズレを、スプレッダー１０を組込んだ後でも照射方向の角度を調整することができ、適正位置照射できるように補正することができるようになっている。
なお、左右方向のズレに対しては、スプレッダー１０の小便器本体２への組込み固定する際同時に調整することが可能である。
報知装置１４のスプレッダー１０への組込みは、報知装置本体３８の挿入部３８ｅをスプレッダー本体２２の報知装置保持部２２ａにシール材Ｂ４５を介して挿入し、２本の固定ねじＢ８３で、スプレッダーカバー２４をスプレッダー本体２２に固定する際に共締めして固定する。報知装置１４の挿入部３８ｅより取り出された光照射装置１２のハーネス６４と報知装置１４のハーネス４４の両ハーネスは、スプレッダー本体２２のハーネス取出し口２２ｂから取り出し、このハーネス取出し口２２ｂ周辺に対して、シール材Ｂ４５が介在してシールするように組込まれる。
このように構成することで、スプレッダー１０への水掛け清掃等でスプレッダー１０内に浸入する水や洗剤等の薬品が、スプレッダーカバー２４とスプレッダー本体２２の間にシール材を設けなくても、小便器本体２の背面側に浸入することを防止できる。
【００２７】
さらに、前記したスプレッダー本体２２とスプレッダーカバー２４との間に配置される光照射装置１２の組込み構成について補足説明する。
図１および図３に示すように、スプレッダー１０の取付け面であるボウル面４の正面部４ａより前方において、スプレッダーカバー２４は下方に設けられた吐水口部１３や照射開口部２８を除き、全体を覆われた構成となっている。また照射開口部２８に対しては、光照射装置１２の下端は露出せず、洗浄水の吐水口部１３よりも上方に位置している。
このように組込むことにより、光照射装置１２を使用者や清掃者が不用意に触ることを防止できるので、照射方向のずれによるボウル面４に形成される輝点Ｔのずれが生じることがなく、また、光照射装置１２の下端に汚れやボウル面４の洗浄水の飛沫等が付着することを抑制でき、輝点Ｔでの照度の減衰や変形等への影響を防止することができる。
一方で、このような位置に光照射装置１２を組込むと、スプレッダー１０のボウル面４の正面部４ａより前方に位置しているカバーの前方方向への厚みが増えてしまい、小便器装置１全体の外観イメージを損なう恐れがあるため、少なくとも光照射装置１２の組込み状態での前方方向の厚みを可能な限り薄くする必要がある。
これに対して図６に示すように、組合せレンズＢ６７のレンズ部の組込み状態で前方方向となる両端部をカットすることで薄型化をしている。
前記したように、光照射装置１２には絞り材７１が組込まれており、ボウル面４に形成される輝点Ｔが適正な形状となるように絞り材７１にて照射する光の形状を割り掛け補正しており、図２の照射イメージＬで示すように、投影されるボウル面４は照射方向に対して傾斜した面であるため、照射光の形状は輝点Ｔの形状に対して組込み状態での前方方向は、左右方向に比べて絞られた形状となっている。
このため、組込み状態での前方方向の照射光の強い光の範囲は、左右方向よりも狭くなっており、組合せレンズＢ６７の前後方向の両端部を通過する照射光は弱く、この分をカットしても輝点Ｔでの明るさの減衰量を抑えることができている。
また一方で、輝点Ｔの形状は使用者が視認しやすい大きさにする必要もあるため、スプレッダー１０の外観意匠を考慮した薄型でかつ小型に構成された光照射装置１２の照射光は、ボウル面４に向けて拡大するように照射させる必要があり、これに対して図６に示すように、組合せレンズＡ６６および組合せレンズＢ６７の２つのレンズの凹面や凸面のレンズ部の形状の組合せと相対位置により、照射光を拡大させつつ、ボウル面４の輝点Ｔで焦点が合うように構成している。
【００２８】
次に、図１０を参照して、人体検知センサ１６についてより詳細に説明する。
図１０は本発明の一実施形態による小便器装置の人体検知センサの動作を説明するブロック図である。
人体検知センサ１６は、ボウル面４の上部の裏側に設けられている。人体検知センサ１６は、いわゆるマイクロ波センサであり、電波（マイクロ波）をボウル面４の前方に向けて照射するように設けられている。人体検知センサ１６は、小便器本体２の前に立ち小便器本体２を使用する使用者Ａを検知する電波センサユニットを形成している。
【００２９】
図１０に示すように、人体検知センサ１６は、ドップラセンサのうちいわゆる２出力式センサを構成するユニットである。人体検知センサ１６は、発振波を発振する発振機４６と、電波（マイクロ波）である送信波Ｂを放射する送信アンテナ４８と、使用者Ａからの電波の反射波Ｃを受信する受信アンテナ５０と、受信アンテナ５０から得られる第１受信信号と発振波とを重ね合わせる第１ミキサ５２と、受信アンテナ５０から得られる第１受信信号から分岐した第２受信信号と発振波とを重ね合わせる第２ミキサ５４と、第１受信信号を発振波の波長λに対しλ/4(π/2)分だけ位相がずれた第２受信信号とする位相調整部５６とを備えている。
【００３０】
第１ミキサ５２は、第１信号Ｉを出力して制御装置２０に送る。第２ミキサ５４は、第２信号Ｑを出力して制御装置２０に送る。第２信号Ｑは、第１信号Ｉからλ/4分だけ位相がずれた状態として得られる。出力した信号はアンプ（図示せず）を通される。
【００３１】
人体検知センサ１６は、第１信号Ｉ及び第２信号Ｑを制御装置２０に伝達する。これにより、制御装置２０は、第１信号Ｉと第２信号Ｑとに基づいて、使用者Ａの小便器本体２（人体検知センサ１６）への接近動作Ｄ又は離反動作Ｅを推定することができる。また、制御装置２０は、人体検知センサ１６の出力信号の周波数（送信波Ｂと受信波（反射波Ｃ）との周波数差分）に基づいて、使用者の接近速度を推定することができる。さらに、制御装置２０は、この接近速度から基準位置からの接近距離を推定することができる。接近距離は、例えば使用者が検知領域内に入った基準位置から小便器本体２側に接近した距離である。さらに、制御装置２０は、人体検知センサ１６は、小便器本体２に接近する使用者の接近速度の変化を検知する機能を備える。人体検知センサ１６は、使用者から小便器本体２までの距離の変化量の検知機能も有する。
【００３２】
本発明の一実施形態において人体検知センサ１６は、２出力式マイクロ波センサであるが、人体検知センサ１６は、使用者の動きが測定できる他のセンサ又は使用者の小便器本体２からの距離が測定できる他のセンサに変更可能である。例えば、人体検知センサ１６は、２出力式でないドップラー式のマイクロ波センサ、ドップラー式の超音波センサ、測距式（距離測定式）の超音波センサ、測距式（距離測定式）の光電センサであってもよい。
【００３３】
仮に人体検知センサ１６に２出力式でないドップラー式のマイクロ波センサを採用する場合には、この人体検知センサ１６の出力信号の周波数（送信波Ｂと受信波（反射波Ｃ）との周波数差分）に基づいて、制御装置２０は、使用者の接近速度を推定することができる。さらに、制御装置２０は、この接近速度に基づいて基準位置からの接近距離を推定することができる。よって、制御装置２０は、接近停止状態の判定を行うことができる。
【００３４】
仮に人体検知センサ１６にドップラー式の超音波センサを採用する場合には、この人体検知センサ１６の出力信号の周波数（送信波と受信波（反射波）との周波数差分）に基づいて、制御装置２０は、使用者の接近速度を推定することができる。さらに、制御装置２０は、この接近速度に基づいて基準位置からの接近距離を推定することができる。よって、制御装置２０は、接近停止状態の判定を行うことができる。
【００３５】
仮に人体検知センサ１６に測距式（距離測定式）の超音波センサを採用する場合には、超音波センサの発信から受信までの時間を測定することにより使用者までの距離を測定することができる。よって、制御装置２０は、使用者の基準位置からの接近距離を推定することができる。また、制御装置２０は、使用者から小便器本体２までの距離の変化量を推定することができる。よって、制御装置２０は、接近停止状態の判定を行うことができる。
【００３６】
仮に人体検知センサ１６に測距式（距離測定式）の光電センサを採用する場合には、光電センサから投光された光が使用者で反射され、この反射された光の到達位置を測定することにより、光電センサから使用者までの距離を測定することができる。よって、制御装置２０は、使用者の基準位置からの接近距離を推定することができる。また、制御装置２０は、使用者から小便器本体２までの距離の変化量を推定することができる。よって、制御装置２０は、接近停止状態の判定を行うことができる。
【００３７】
尿流検知センサ１８は、ボウル面４の上部の裏側に設けられている。尿流検知センサ１８は、いわゆるマイクロ波センサであり、電波（マイクロ波）をボウル面４の下部に向けて照射するように設けられている。本実施形態においては、尿流検知センサ１８は、マイクロ波を使用したドップラー式のセンサである。尿流検知センサ１８は、使用者が小便器本体２へ排尿した尿流を検知することができる。また、尿流検知センサ１８は、使用者のボウル面４への排尿の有無、及び排尿の開始及び終了のタイミングを、正確に測定することができるのみならず、尿流の流量の大小、流量の時間変化等を検知することができる。尿流検知センサ１８は、使用者の尿流を検知することができる他のセンサに変更可能である。
【００３８】
次に、図１１により、上述した本発明の一実施形態による小便器装置における使用者の接近に対する光照射装置の動作（作用）を説明する。
図１１は、本発明の一実施形態による小便器装置において、使用者の位置、使用者の接近状態判定、光照射装置の作動状態を示すタイミングチャートである。
【００３９】
図１１に示すように、使用者が小便器本体２に接近する前の待機状態の時刻ｔ０において、使用者は人体検知センサ１６の検知領域外に位置し、人体検知センサ１６は、使用者を検知していない非検知状態となっており、制御装置２０は使用者が接近状態でないと判定している（接近状態判定なし）。また、制御装置２０は、待機状態において、光照射装置１２を、未点灯状態としている。
【００４０】
次に、時刻ｔ１において、使用者が小便器本体２に向かって進み、人体検知センサ１６の検知領域内に入る。人体検知センサ１６は、時刻ｔ１において基準位置から検知領域内に入り、使用者を検知した検知状態となり、制御装置２０は使用者が接近状態となったと判定する（接近状態判定あり）。すなわち、制御装置２０は使用者の接近状態が開始されたと判定する。制御装置２０は、時刻ｔ１から、人体検知センサ１６が使用者を検知したことを報知装置１４により使用者に報知させる。さらに、本実施形態においては、制御装置２０は人体検知センサ１６が検知状態となったことに基づいて主点灯前モードの待機モードの実行を開始させる。制御装置２０は、主点灯前モードの待機モードにおいて、制御装置２０が接近停止状態を判定するまで、光照射装置１２を、光照射を行わない未点灯状態に制御する。本実施形態においては、未点灯状態は、光照射装置１２がＯＦＦの状態であるが、変形例として、照度がほぼ０のＯＮ状態であってもよい。
【００４１】
時刻ｔ２において、使用者の位置は小便器本体２により近づいている。人体検知センサ１６は、使用者の速度変化検知機能により使用者の接近速度の変化を検知している。また、人体検知センサ１６は、使用者の距離変化検知機能により使用者の接近距離の変化を検知している。制御装置２０は、接近速度及び接近距離に基づいて、後述するように、使用者が引き続き接近状態であると判定している。制御装置２０は、接近状態においては、使用者が小便器本体２に向けて進む接近途中の状態が継続していると判断できる。
【００４２】
制御装置２０は、使用者の立ち止まりを抑制するように光照射装置１２を制御する主点灯前モードを実行している。制御装置２０は、光照射装置１２を、未点灯状態のまま待機させ、まだ立ち止まり状態となっていない（前進動作中の）使用者に対し、使用者の立ち止まりの契機となるようなターゲットマークの表示変化を使用者に与えることを抑制する。よって、制御装置２０は、使用者が小便器本体２に接近する機会をなるべく奪わない（継続させる）ように光照射装置１２を制御することができる。制御装置２０は、使用者が使用者の尿が小便器本体２外に落ちない程度まで、小便器本体２に接近できる可能性を高めることもできる。主点灯前モードにおいては、光照射装置１２は、未点灯状態のまま変化せずに維持され、及び報知装置１４は、点灯状態のまま変化せずに維持されている。制御装置２０は、時刻ｔ１から、報知装置１４により人体検知を報知しているが、時刻ｔ１から、使用者に立ち止まりの契機を与えない程度に報知装置１４が発光しているのみであるため、報知装置１４の発光によっては使用者に立ち止まりの契機を与えにくくなっている。
【００４３】
時刻ｔ３において、使用者が小便器本体２の近接領域における放尿位置に到着する場合に、制御装置２０は、接近停止状態となったと判断する。よって、制御装置２０は、使用者が接近状態が終了した（接近状態にない）と判断する。接近停止状態は、例えば使用者が放尿のため放尿位置に立ち止まった状態である。
制御装置２０は、人体検知センサ１６による検知により使用者が接近停止状態となったと判断される場合に、主点灯前モードを終了させ、主点灯モードを開始させる。制御装置２０は、主点灯モードにおいて、使用者が小便を当てるべきターゲット位置を高照度点灯状態でボウル面４上に指示するように光照射装置１２を制御する。
【００４４】
時刻ｔ４において、使用者が放尿を終え、小便器本体２の前から立ち去る場合、人体検知センサ１６が使用者の小便器本体２からの離反を検知する。制御装置２０は、人体検知センサ１６による使用者の離反の検知に基づいて光照射装置１２を未点灯状態に制御する。また、使用者の離反に基づいて、報知装置１４は所定のタイミングで発光を停止する。制御装置２０は、使用者が離反したとの判断に基づいて、電磁弁３４を開弁し、洗浄水を導水路２６を介して吐水口部１３から吐出させ、ボウル面４を洗浄する。この洗浄水により排水トラップ管路８内の尿が排出されると共に排水トラップ管路８及び排水配管９が洗浄される。制御装置２０は、スプレッダー１０からの吐水動作終了後、待機状態に戻る。
【００４５】
次に、図１２により、上述した本発明の一実施形態による小便器装置の第１変形例における使用者の接近に対する光照射装置の動作（作用）を説明する。
図１２は、本発明の一実施形態による小便器装置の第１変形例において、使用者の位置、使用者の接近状態判定、光照射装置の作動状態を示すタイミングチャートである。
一実施形態による小便器装置１の第１変形例における使用者の接近に対する光照射装置１２の動作は、上述の一実施形態による小便器装置１における使用者の接近に対する光照射装置１２の動作とほぼ同じであるため、第１変形例の上述の一実施形態とは異なる点のみを説明し、同様な部分については同じ参照符号を付して説明を省略する。
【００４６】
本発明の一実施形態による小便器装置１の第１変形例においては、制御装置２０は、主点灯前モードを、使用者の検知に基づいて開始された後、使用者が接近停止状態となったと判定されても終了させず、接近停止状態と判定された後の接近停止状態の確定時間経過後に終了させる。また、制御装置２０は、人体検知センサ１６による検知により使用者が接近停止状態となったと判断され、さらに確定時間が経過し接近停止状態の判断を確定させた場合に主点灯モードを開始させる。確定時間は、使用者が接近停止状態となったことをより確実に判定する所定の時間である。
【００４７】
図１２に示すように、時刻ｔ０からｔ２においては、一実施形態による小便器装置１における光照射装置１２の主点灯前モードの動作と同様であるので説明を省略する。
時刻ｔ３において、使用者が小便器本体２の近接領域における放尿位置に到着する場合に、制御装置２０は、接近停止状態となったと仮状態として判断する。このとき、制御装置２０は、使用者が接近状態から接近停止状態となったと判定する。接近停止状態は、例えば使用者が放尿のため放尿位置に立ち止まった状態である。制御装置２０は、人体検知センサ１６による検知により使用者が接近停止状態となったと判断される場合により確実に接近停止状態を確定させるために、接近停止状態の確定時間のカウントを開始する。制御装置２０は、確定時間の間、主点灯前モードを継続させると共に接近停止状態の判定（後述する図１５のＳ５参照）が継続するか否かの判定を行う。また、制御装置２０は、確定時間の間、主点灯モードの実行開始を待機させる。
【００４８】
制御装置２０は、接近停止状態と判定した後、確定時間の間、接近停止状態の判定が継続することをもって接近停止状態の判断を確定させる判断を行う。制御装置２０は、確定時間の間、接近停止状態の判定が継続しなかった場合には、再び接近停止状態の判定をやり直す制御を行う。
【００４９】
時刻ｔ３’において、制御装置２０は、確定時間が経過し接近停止状態の判断を確定させたことにより主点灯モードを開始させる。よって、制御装置２０は、接近停止状態の判定の精度をより向上させることができる。例えば、使用者が小便器本体２の放尿位置より手前で何らかの原因（例えば着衣の準備や手荷物の整理等）により一旦停止してしまってから若干前進するような場合にも接近停止状態の判定を確実に行うことができ、ターゲットマークを立ち止まり前に表示して使用者を立ち止まらせる契機を与えることを抑制することができる。よって、使用者が、小便器本体２に対して十分に接近して接近停止状態となる前の接近している途中の状態で主点灯モードが実行され、立ち止まった位置から放尿を行うことにより尿が小便器本体２の外側に出てしまうことをより抑制することができる。
時刻ｔ４以降については、一実施形態による小便器装置１における動作と同様であるので説明を省略する。
【００５０】
次に、図１３により、上述した本発明の一実施形態による小便器装置の第２変形例における使用者の接近に対する光照射装置の動作（作用）を説明する。
図１３は、本発明の一実施形態による小便器装置の第２変形例において、使用者位置、使用者の接近状態判定、光照射装置の作動状態を示すタイミングチャートである。
一実施形態による小便器装置１の第２変形例における使用者の接近に対する光照射装置１２の動作は、上述の一実施形態による小便器装置１における使用者の接近に対する光照射装置１２の動作とほぼ同じであるため、第２変形例の上述の一実施形態とは異なる点のみを説明し、同様な部分については同じ参照符号を付して説明を省略する。
【００５１】
本発明の一実施形態による小便器装置１の第２変形例においては、主点灯前モードは、待機モードに代えて、光照射装置１２を、低照度点灯状態で発光させる低照度モードを備えている。第２変形例においては、制御装置２０は、主点灯前モードの低照度モードを、制御装置２０が接近停止状態を判定するまで実行させる。低照度点灯状態は、主点灯モードの主な点灯状態を高照度点灯状態とした場合に、高照度点灯状態の照度の好ましくは０．０１％〜２５％の範囲、より好ましくは０．０１％〜１５％の範囲の照度で点灯する状態をいう。
【００５２】
図１３に示すように、時刻ｔ０においては、一実施形態による小便器装置１における使用者の接近に対する光照射装置１２の動作と同様であるので説明を省略する。
【００５３】
次に、時刻ｔ１において、使用者が小便器本体２に向かって進み、人体検知センサ１６の検知領域内に入る。人体検知センサ１６は、使用者を検知した検知状態となり、制御装置２０は使用者が接近状態となったと判定する（接近状態判定あり）。すなわち、制御装置２０は使用者の接近状態が開始されたと判定する。制御装置２０は、時刻ｔ１から、人体検知センサ１６が使用者を検知したことを報知装置１４により使用者に報知させる。本実施形態においては、制御装置２０は人体検知センサ１６が検知状態となったことに基づいて主点灯前モードの低照度モードの実行を開始させる。制御装置２０は、主点灯前モードの低照度モードにおいて、制御装置２０が接近停止状態を判定するまで、光照射装置１２を、低照度点灯状態で発光させるように制御する。制御装置２０が光照射装置１２を低照度点灯状態で発光させることにより、ターゲットマークを使用者に見えにくく、より好ましくはターゲットマークを使用者に認識できない程度まで見えにくくする（ほぼ見えないようにする）ことができる。よって、まだ立ち止まり状態となっていない使用者に対し、使用者の立ち止まりの契機となるようなターゲットマークの表示変化を使用者に与えることを抑制することができる。よって、主点灯前モードの実行によるターゲットマークがボウル面上に指示されたことにより使用者が立ち止まり、立ち止まった位置から放尿を行うことにより尿が小便器本体の外側に出てしまうことを抑制することができる。
【００５４】
時刻ｔ２において、制御装置２０は、使用者の立ち止まりを抑制するように光照射装置１２を制御する主点灯前モードを実行している。よって、制御装置２０は、使用者が小便器本体２に接近する機会をなるべく奪わないように光照射装置１２を制御することができる。制御装置２０は、使用者の尿が小便器本体２外に落ちない程度まで、使用者が小便器本体２に接近できる可能性を高めることもできる。また、主点灯前モードにおいては、光照射装置１２は、低照度点灯状態で照度が変化せずに維持され、及び報知装置１４は、点灯状態のまま変化せずに維持されている。制御装置２０は、時刻ｔ１から、報知装置１４により人体検知を報知しているが、時刻ｔ１から、使用者に立ち止まりの契機を与えない程度に報知装置１４が発光しているのみであるため、報知装置１４の発光によっては使用者に立ち止まりの契機を与えにくくなっている。
なお、さらなる変形例として、制御装置２０は、主点灯前モードの低照度モードにおいて、光照射装置１２を、低照度点灯状態から徐々に照度を変化（例えば増加）させるように制御してもよい。
【００５５】
時刻ｔ３において、制御装置２０は、人体検知センサ１６による検知により使用者が接近停止状態となったと判断される場合に、主点灯前モードを終了させ、主点灯モードを開始させる。
時刻ｔ４以降については、一実施形態による小便器装置１における動作と同様であるので説明を省略する。
【００５６】
次に、図１４により、上述した本発明の一実施形態による小便器装置の第３変形例における使用者の接近に対する光照射装置の動作（作用）を説明する。
図１４は、本発明の一実施形態による小便器装置の第３変形例において、使用者の位置、使用者の接近状態判定、光照射装置の作動状態を示すタイミングチャートである。
一実施形態による小便器装置１の第３変形例における使用者の接近に対する光照射装置１２の動作は、上述の一実施形態による小便器装置１における使用者の接近に対する光照射装置１２の動作とほぼ同じであるため、第１変形例の上述の一実施形態とは異なる点のみを説明し、同様な部分については同じ参照符号を付して説明を省略する。
【００５７】
本発明の一実施形態による小便器装置１の第３変形例においては、主点灯前モードは、第２変形例同様に、待機モードに代えて、人体検知センサ１６の検知状態において、主点灯モードを実行する前に、光照射装置１２を、低照度点灯状態で発光させる低照度モードを備えている。第３変形例においては、制御装置２０は、主点灯前モードの低照度モードを、制御装置２０が接近停止状態の判断を確定させるまで実行させる。制御装置２０は、主点灯前モードを、使用者の検知に基づいて開始された後、使用者が接近停止状態となったと判定されても終了させず、接近停止状態と判定された後の接近停止状態の確定時間経過後に終了させる。また、制御装置２０は、人体検知センサ１６による検知により使用者が接近停止状態となったと判断され、さらに確定時間が経過し接近停止状態の判断を確定させた場合に主点灯モードを開始させる。確定時間は、使用者が接近停止状態となったことをより確実に判定する所定の時間である。
【００５８】
図１４に示すように、時刻ｔ０においては、一実施形態による小便器装置１における使用者の接近に対する光照射装置１２の動作と同様であるので説明を省略する。
【００５９】
次に、時刻ｔ１において、制御装置２０は人体検知センサ１６が検知状態となったことに基づいて主点灯前モードの低照度モードの実行を開始させる。
時刻ｔ１及びｔ２においては、一実施形態による小便器装置１の第２変形例における使用者の接近に対する光照射装置の動作と同様であるので説明を省略する。
【００６０】
時刻ｔ３において、第１変形例と同様に制御装置２０は、人体検知センサ１６による検知により使用者が接近停止状態となったと仮状態として判断される場合に、より確実に接近停止状態を確定させるために、接近停止状態の確定時間のカウントを開始する。第３変形例においては、制御装置２０は、確定時間の間、主点灯前モードの低照度モードを継続させると共に接近停止状態の判定が継続するか否かの判定を行う。また、制御装置２０は、確定時間の間、主点灯モードの実行開始を待機させる。
【００６１】
制御装置２０は、接近停止状態と判定した後、確定時間の間、接近停止状態の判定が継続することをもって接近停止状態の判断を確定させる判断を行う。制御装置２０は、確定時間の間、接近停止状態の判定が継続しなかった場合には、再び接近停止状態の判定をやり直す制御を行う。
【００６２】
時刻ｔ３’において、第１変形例と同様に制御装置２０は、確定時間が経過し接近停止状態の判断を確定させたことにより主点灯モードを開始させる。時刻ｔ４以降については、一実施形態による小便器装置１における動作と同様であるので説明を省略する。
【００６３】
次に、再び、本発明の一実施形態による小便器装置について説明する。図１５により、上述した本発明の一実施形態による小便器装置の制御装置における使用者の検知から接近停止状態の判定の制御内容を説明する。
図１５は、本発明の一実施形態による小便器装置の制御装置における使用者の検知から接近停止状態の判定の制御内容を示すフローチャートである。図１５において、Ｓは各ステップを示している。
【００６４】
図１５に示すスタートにおいては、制御装置２０は待機状態である。制御装置２０は待機状態において、スタートから次のステップＳ１の処理を繰り返し実行し使用者の検知を判定できるようにしている。制御装置２０はスタートにおいて使用者の報知処理を開始する。
【００６５】
次に、ステップＳ１においては、制御装置２０は、人体検知センサ１６（ドップラセンサ）により得られる２つの出力信号の合成信号の電圧の振幅値が、所定の閾値以上となるか否かを判定する。
制御装置２０は、この振幅値が所定の閾値以上となる場合（ＹＥＳの場合）には、使用者が小便器本体２に近づき、人体検知センサ１６の検知範囲内に入り、人体検知センサ１６が使用者を検知したと判断できるので、Ｓ２に進む。例えば、図１１の時刻ｔ１に示すように、使用者が人体検知センサ１６の検知領域内に入るとき、人体検知センサ１６に検知された状態となる。制御装置２０が人体検知センサ１６が使用者を検知したと判定した場合、制御装置２０は使用者が接近状態となったと判定する（図１１の接近状態判定ありの状態）。
制御装置２０は、この振幅値が所定の閾値未満となる場合（ＮＯの場合）には、使用者が小便器本体２に十分に近づいておらず、人体検知センサ１６の検知範囲外に位置していると判断できるので、再びＳ１に戻って判定を行う。
【００６６】
次に、ステップＳ２においては、制御装置２０は、使用者の接近距離が、所定の閾値以上となるか否かを判定する。制御装置２０は、人体検知センサ１６の検出信号に基づいて、使用者が検知領域内に入った基準位置（例えば、図１１に示すような「検知領域外」から「検知領域内」に入り込める）から小便器本体２側に接近した接近距離を推定する。例えば、制御装置２０は、人体検知センサ１６の出力信号の周波数（送信波と受信波との周波数差分）に基づいて、使用者の接近速度を推定することができ、この接近速度と基準位置からの移動時間に基づいて接近距離を推定することができる。
制御装置２０は、この接近距離が所定の閾値以上となる場合（ＹＥＳの場合）には、使用者が小便器本体２の近接領域の放尿位置に到着した可能性が高いと判断できるので、Ｓ３に進む。
制御装置２０は、この接近距離が所定の閾値未満となる場合（ＮＯの場合）には、使用者が依然として放尿位置まで到着していない可能性が高いと判断できるので、再びＳ２に戻って判定を行う。
【００６７】
ステップＳ３においては、制御装置２０は、仮に尿石の配管への付着を抑制する等の設備保護のためのいわゆる設備保護洗浄中であった場合には、この設備保護洗浄の実行を保留（中断）する。
【００６８】
ステップＳ４においては、制御装置２０は、使用者の接近速度が、所定の閾値未満となるか否かを判定する。例えば、制御装置２０は、人体検知センサ１６の出力信号の周波数（送信波と受信波との周波数差分）に基づいて、使用者の接近速度を推定する。例えば制御装置２０は、出力信号の周波数が高い周波数である場合、使用者の接近速度が高く、出力信号の周波数が低い周波数である場合使用者の接近速度が低いと推定する。
制御装置２０は、使用者の接近速度が、所定の閾値未満となる場合（ＹＥＳの場合）には、使用者が放尿位置に到着して減速又は停止した可能性が高いと判断できるので、Ｓ５に進む。
制御装置２０は、使用者の接近速度が、所定の閾値以上である場合（ＮＯの場合）には、接近速度が閾値まで減速されておらず使用者が依然として放尿位置まで到着していない可能性が高いと判断できるので、再びＳ４に戻って判定を行う。
【００６９】
ステップＳ５においては、制御装置２０は、使用者の接近中の状態を示している接近状態が終了した（接近状態にない）と判断し、使用者が放尿位置で停止に近い状態となっている又はほぼ停止している接近停止状態となったと判断する。この接近停止状態には、使用者の微動状態、例えば使用者の脚や使用者の姿勢等がわずかに動いているような状態が含まれる。
【００７０】
ステップＳ６においては、制御装置２０は、使用者が接近停止状態となったことに基づいて、主点灯モードを開始させる。また、制御装置２０は、必要に応じて本洗浄動作の前のいわゆる前洗浄動作を実行する。制御装置２０は、ステップＳ６を実行した後、エンドに進む。制御装置２０は、エンドに進んだ後、使用者の放尿後の立ち去りを判定する非検知の判定処理を行う。非検知の判定処理は説明を省略する。制御装置２０は、使用者の非検知の判断に基づいてスプレッダー１０からの吐水動作（本洗浄動作）を実行させ、吐水動作終了後、待機状態に戻る。制御装置２０は、待機状態に戻ると、再び図１５のフローチャートの制御処理をスタート（開始）する。
【００７１】
本実施形態においては、図１５に示すような接近停止状態の判定において、制御装置２０は、ステップＳ２に示すような接近距離が所定の閾値以上となるか否かの判定と、ステップＳ４に示すような接近速度が所定の閾値未満となるか否かの判定とを実行している。本実施形態における接近停止状態の判定は、ステップＳ４に示すような接近速度が所定の閾値未満となるか否かの判定、ステップＳ２に示すような接近距離が所定の閾値以上となるか否かの判定、後述する使用者の移動量の変化量（距離の変化量）が所定の閾値未満となるか否かの判定、及び使用者の離反状態の動作が行われたか否かの判定、のうち任意の判定の組合せ、これらの判定の全ての組合せ又はこれらの判定のうちいずれかのみの判定によって行われてもよい。例えば、図１５に示すような接近停止状態の判定において、ステップＳ２に代えて、使用者の離反状態の動作が行われたか否かの判定を行ってもよい。また、これらの判定を組合せる際には順番を任意に変更することが可能である。
【００７２】
次に、これらの判定についてより詳細に説明する。
図１６により、ステップＳ４に示すような使用者の接近速度が所定の閾値未満となるか否かの判定についてより詳細に説明する。
図１６は本発明の一実施形態による小便器装置において、使用者の接近速度が所定の閾値未満となる場合に、制御装置が接近停止状態と判定する様子を示すタイミングチャートである。
使用者が小便器本体２に接近する前の待機状態の時刻ｔ１０において、使用者は人体検知センサ１６の検知領域外に位置し、人体検知センサ１６は、使用者を検知していない非検知状態となっている。人体検知センサ１６は、使用者の非検知状態においては、外環境やノイズ等により非検知状態の揺らぎレベルの周波数となっている。このような非検知状態の周波数は一定周波数帯でわずかに揺らいでいる状態となっている。このとき、使用者の接近速度は検出されておらず、制御装置２０は使用者が接近状態でないと判定している（接近状態判定なし）。
【００７３】
次に、時刻ｔ１１において、使用者が小便器本体２に向かって進み、基準位置から人体検知センサ１６の検知領域内に入る。人体検知センサ１６は、使用者を検知した検知状態となり、制御装置２０は使用者が接近状態となったと判定する（接近状態判定あり）。制御装置２０は使用者の接近状態が開始されたと判定する。使用者が接近するので、人体検知センサ１６により検知される受信波の周波数が、非検知状態の揺らぎレベルの周波数から高周波数に上昇する。制御装置２０は、人体検知センサ１６により検出された送信波と受信波の周波数の差分により使用者の接近速度を推定する。制御装置２０は、例えば受信波の周波数が高周波数である場合には、使用者の接近速度が高いと推定できる。
【００７４】
時刻ｔ１２において、使用者の位置は基準位置よりも小便器本体２により近づいている。使用者は依然として小便器本体２に向けて移動中であり、比較的高い接近速度を維持している。よって、人体検知センサ１６により検出された受信波の周波数が高周波数となっている。送信波と受信波の周波数の差分により接近速度が推定され、接近速度が高いと推定される。
【００７５】
時刻ｔ１３において、使用者が小便器本体２の近接領域における放尿位置に到着する場合に、使用者は、放尿位置に到着するので接近速度が遅くなる。よって、人体検知センサ１６により検出された受信波の周波数が高周波数から低周波数側（非検知状態の周波数側）に低下する。制御装置２０は、受信波の周波数が停止状態判定レベル未満に下落した場合、使用者の接近速度が接近速度の所定の閾値未満に下落したと判断し、使用者が接近状態から接近停止状態となったと判断する。なお、時刻ｔ１３において、制御装置２０は、同時に使用者の接近状態が終了したことも判断する。制御装置２０は、このようにして使用者の接近速度が所定の閾値未満となるか否かの判定を行う。制御装置２０は、このようにして使用者が小便器本体２の放尿位置に停止する動き（ほぼ停止しようとする動きを含む）を使用者の接近停止状態として判定することができる。
【００７６】
本実施形態における接近停止状態の判定は、使用者の距離の変化量（移動量）が所定の閾値未満となるか否かの判定によっても判定できる。
図１７により、使用者の距離の変化量（移動量）が所定の閾値未満となるか否かの判定についてより詳細に説明する。図１７は本発明の一実施形態による小便器装置において、使用者の距離の変化量が所定の閾値未満となる場合に、制御装置が接近停止状態と判定する様子を示すタイミングチャートである。
【００７７】
使用者が小便器本体２に接近する前の待機状態の時刻ｔ１０において、使用者は人体検知センサ１６の検知領域外に位置し、人体検知センサ１６は、使用者を検知していない非検知状態となっている。よって、使用者の距離の変化量（移動量の変化量）は待機状態のレベルの値となっている。使用者の距離の変化量は、使用者と小便器本体２との間の距離の単位時間当たりの変化量である。時刻ｔ１０において、使用者の移動は検出されておらず、制御装置２０は使用者が接近状態でないと判定している（接近状態判定なし）。
【００７８】
次に、時刻ｔ１１において、使用者が小便器本体２に向かって進み、基準位置から人体検知センサ１６の検知領域内に入る。人体検知センサ１６は、使用者を検知した検知状態となり、制御装置２０は使用者が接近状態となったと判定する（接近状態判定あり）。制御装置２０は使用者の接近状態が開始されたと判定する。使用者が接近するので、人体検知センサ１６により検知される距離の単位時間あたりの変化量が、非検知状態のレベルの比較的小さい値から、比較的大きな値に上昇する。人体検知センサ１６がマイクロ波センサやドップラー式の超音波センサである場合には、前述の周波数を介した接近速度の推定を行い、接近速度から距離の変化量を推定してこの判定を行うことができる。人体検知センサ１６が測距式（距離測定式）の超音波センサや測距式の光電センサである場合には、使用者の距離を推定することにより、距離の変化量を推定してこの判定を行うことができる。
【００７９】
時刻ｔ１２において、使用者の位置は基準位置よりも小便器本体２により近づいている。使用者は依然として小便器本体２に向けて移動中であり、比較的高い単位時間あたりの移動量を維持している。よって、推定された単位時間あたりの距離の変化量が比較的大きい値に維持されている。
【００８０】
時刻ｔ１３において、使用者が小便器本体２の近接領域における放尿位置に到着する場合に、使用者は、放尿位置に到着するので単位時間あたりの移動量が小さくなる。よって、推定された単位時間あたりの距離の変化量が比較的大きい値からから比較的小さい値に低下する。制御装置２０は、この距離の変化量が停止状態判定レベル未満に下落した場合、単位時間あたりの距離の変化量が移動量の変化量の所定の閾値未満に下落したと判断し、使用者が接近停止状態となったと判断する。なお、時刻ｔ１３において、制御装置２０は、同時に使用者の接近状態が終了したことも判断する。制御装置２０は、このようにして使用者の距離の変化量が所定の閾値未満となるか否かの判定を行う。制御装置２０は、このようにして使用者が小便器本体２の放尿位置に停止する動き（ほぼ停止しようとする動きを含む）を使用者の接近停止状態として判定することができる。
【００８１】
本実施形態における接近停止状態の判定は、使用者の離反状態の動作が行われたか否かの判定によっても判定できる。
図１８により、使用者の離反状態の動作が行われたか否かの判定についてより詳細に説明する。図１８は本発明の一実施形態による小便器装置において、使用者の離反状態の動作が行われた場合に、制御装置が接近停止状態と判定する様子を示すタイミングチャートである。
使用者が小便器本体２に接近する前の待機状態の時刻ｔ１０において、使用者は人体検知センサ１６の検知領域外に位置し、人体検知センサ１６は、使用者を検知していない非検知状態となっている。時刻ｔ１０において、使用者の移動は検出されておらず、制御装置２０は使用者が接近状態でないと判定している（接近状態判定なし）。
【００８２】
次に、時刻ｔ１１において、使用者が小便器本体２に向かって進み、基準位置から人体検知センサ１６の検知領域内に入る。人体検知センサ１６は、使用者を検知した検知状態となり、制御装置２０は使用者が接近状態となったと判定する（接近状態判定あり）。制御装置２０は使用者の接近状態が開始されたと判定する。このとき、人体検知センサ１６が２つの位相（９０度遅れ）の出力信号を生成し、制御装置２０が２つの位相の出力信号を比較することにより、使用者が小便器本体２に対し接近しているか、離反しているかを判定することができる。より具体的には、使用者の接近と離反の進み方向が逆方向となることから、一方の出力信号の位相が他方の出力信号の位相よりも進む場合には、使用者が小便器本体２に対し接近していると判定でき、一方の出力信号の位相が他方の出力信号の位相よりも遅れる場合には、使用者が小便器本体２に対し離反していると判定できる。このような知見に基づき、制御装置２０は、使用者が接近動作をしている接近状態となったと判定する。
【００８３】
次に、時刻ｔ１４において、使用者が小便器本体２の近接領域における放尿位置に到着する場合に、使用者は、放尿位置への停止に伴って、わずかに離反方向への動作を生じる。使用者は、接近状態においては、離反方向への動作を生じないが、一旦停止した後は、わずかに離反方向への動作、すなわち離反状態となる動作を行う。人体検知センサ１６が２つの位相（９０度遅れ）の出力信号を出力していることにより、制御装置２０は、使用者の離反状態がわずかに生じたことを認識できる。制御装置２０は、離反状態がわずかに生じたことにより、使用者が放尿位置に到着し、概ね停止した状態となったことを判断できる。
よって、時刻ｔ１５において、制御装置２０は、離反状態が判定されことに基づいて接近状態が終了したと判断すると共に使用者が接近停止状態となったと判断する。制御装置２０は、このようにして使用者の離反状態の動作が行われたか否かの判定を行う。制御装置２０は、このようにして使用者の小便器本体２の放尿位置に停止した状態を認識し、使用者の接近停止状態として判定することができる。
【００８４】
次に、図１９により、本発明の一実施形態による小便器装置の制御装置における主点灯モードにおいて照射される光の形態について説明する。
図１９は、本発明の一実施形態による小便器装置の制御装置における主点灯モードにおいて、光照射装置の照度、及び光照射装置の作動状態を示すタイミングチャートである。
【００８５】
図１９に示すように、時刻ｔ２０において、制御装置２０が主点灯モードを開始させるとき、制御装置２０が光照射装置１２をオフ状態からオン状態とさせる。このとき、制御装置２０は光照射装置１２の光の照度を消灯状態（未点灯状態）から高照度点灯状態まで上昇させる。高照度点灯状態は、例えばターゲットマークを使用者に視認させるために通常設定される光の照度の点灯状態である。図１９の時刻ｔ２０は、例えば図１１の時刻ｔ３に相当する。制御装置２０は光照射装置１２の光の照度を、時刻ｔ２０から時刻ｔ２１で一定に維持している。
【００８６】
時刻ｔ２１において、制御装置２０が使用者が小便器本体２の前から立ち去ったと判断する場合に、制御装置２０は主点灯モードを終了させ、光照射装置１２をオン状態からオフ状態とさせる。よって、制御装置２０は光照射装置１２の光の照度を高照度点灯状態から消灯状態とさせる。
【００８７】
次に、図２０により、本発明の一実施形態による小便器装置の第４変形例の制御装置における主点灯モードにおいて照射される光の形態について説明する。
図２０は、本発明の一実施形態による小便器装置の第４変形例の制御装置における主点灯モードにおいて、光照射装置の照度、及び光照射装置の作動状態を示すタイミングチャートである。本発明の一実施形態による小便器装置１の第４変形例の制御装置２０における主点灯モードについて、本発明の一実施形態による小便器装置１の制御装置２０における主点灯モードと異なる点のみを説明する。
【００８８】
本発明の一実施形態による小便器装置の第４変形例の制御装置は、主点灯モードにおいて、尿流検知センサ１８によって検知した尿流の状態に応じて照射される光の状態を変化させるように光照射装置１２を制御する。
【００８９】
図２０に示すように、時刻ｔ３０において、制御装置２０が主点灯モードを開始させるとき、制御装置２０が光照射装置１２をオフ状態からオン状態とさせる。このとき、制御装置２０は光照射装置１２の光の照度を消灯状態（未点灯状態）から高照度点灯状態まで上昇させる。時刻ｔ３１において使用者の放尿開始を尿流検知センサ１８により検知開始し、当初においては、尿流検知センサ１８が比較的流量の大きな尿流を検知する。よって、制御装置２０は尿流検知センサ１８が検知した比較的流量の大きな尿流の状態に応じて、照射される光の照度を高照度点灯状態に維持する。
【００９０】
時刻ｔ３２から時刻ｔ３３に示すように、尿流検知センサ１８により尿流の流量の減少が検知された場合には、制御装置２０が尿流の減少に対応して光照射装置１２の光の照度を徐々に低下させる。このようにして、制御装置２０が、例えば尿流が多い状態のときに光の照度を強め、さらに尿流が少ない状態のときに光の照度を弱める等を実行させることができる。例えば、尿流の流量が時刻ｔ３２から時刻ｔ３３まで直線的に漸減する場合、制御装置２０は光照射装置１２の照度を尿流の流量に対応させて直線的に漸減させる。
【００９１】
時刻ｔ３３において、尿流検知センサ１８により尿流が検知されなくなった場合には、制御装置２０が尿流の減少に対応して光照射装置１２の光の照度を消灯に近い低照度状態まで低下させる。制御装置２０が使用者の小便器本体２の前から立ち去ったと判断する時点（時刻ｔ３４）の前に、制御装置２０は主点灯モードを終了させ、光照射装置１２をオン状態からオフ状態とさせる。
照度変化の事例を説明したが、光照射装置１２に複数色の発光ダイオードを設けることにより光の色調を変化させる、例えば赤から青のように消火のイメージを表現するように光の色調を変化させてもよい。また、放尿開始時より尿流が弱く検知された場合に制御装置２０が光照射装置１２を点灯から点滅もしくは点滅周期を短くする等のように制御することも可能である。
さらに、制御装置２０が使用者の立去りを判断する前に、尿流が検知されなくなってから所定時間経過した場合には、制御装置２０は放尿の可能性がなくなり、光照射を継続する必要がない状態と判断し、主点灯モードを終了することで、電力の消費を抑制することも可能になる。
【００９２】
次に、図２１により、本発明の一実施形態による小便器装置の第５変形例の制御装置における主点灯モードにおいて照射される光の形態について説明する。
図２１は、本発明の一実施形態による小便器装置の第５変形例の制御装置における主点灯モードにおいて、光照射装置の照度、及び光照射装置の作動状態を示すタイミングチャートである。本発明の一実施形態による小便器装置１の第５変形例の制御装置２０における主点灯モードについて、本発明の一実施形態による小便器装置１の制御装置２０における主点灯モードと異なる点のみを説明する。
【００９３】
図２１に示すように、時刻ｔ２０において、制御装置２０が主点灯モードを開始させるとき、制御装置２０が光照射装置１２をオフ状態からオン状態とさせる。制御装置２０は光照射装置１２の光の照度を消灯状態（未点灯状態）から高照度点灯状態まで徐々に上昇させる。よって、時刻ｔ２１から一定時間が経過してから、制御装置２０は光照射装置１２の光の照度を高照度点灯状態に到達させる。制御装置２０は光照射装置１２の光の照度を、高照度点灯状態に到達してから時刻ｔ２１まで一定に維持している。
【００９４】
時刻ｔ２１から時刻ｔ２２において、制御装置２０が使用者が小便器本体２の前から立ち去ったと判断する場合に、制御装置２０は光照射装置１２の光の照度を高照度点灯状態から消灯状態まで徐々に下降させる。よって、時刻ｔ２１から一定時間が経過してから、制御装置２０は光照射装置１２の光の照度を消灯状態に到達させる。
時刻ｔ２２において、制御装置２０は光照射装置１２が消灯状態となると、光照射装置１２をオン状態からオフ状態とさせ、主点灯モードを終了させる。
【００９５】
次に、図２２により、本発明の一実施形態による小便器装置の第６変形例の制御装置における主点灯モードにおいて照射される光の状態について説明する。
図２２は、本発明の一実施形態による小便器装置の第６変形例の制御装置における主点灯モードにおいて、光照射装置の照度、及び光照射装置の作動状態を示すタイミングチャートである。本発明の一実施形態による小便器装置の第６変形例の制御装置における主点灯モードについて、本発明の一実施形態による小便器装置の制御装置における主点灯モードと異なる点のみを説明する。
【００９６】
図２２に示すように、制御装置２０は光照射装置１２を点滅させる制御を行う。時刻ｔ２０においては、主点灯モードが既に開始された状態であり、光照射装置１２の光の照度が高照度点灯状態となっている。制御装置２０は、高照度点灯状態を所定時間継続した後、光照射装置１２の光の照度を高照度点灯状態から高照度点灯状態よりも低い照度の低照度点灯状態まで低下させた後、再び高照度点灯状態まで上昇させている。このとき、制御装置２０が光照射装置１２の光の照度を、消灯状態まで低下させないように制御している。これを繰返すことによって、使用者に、連続点灯よりも照度の高低により輝点Ｔを比較的強く意識させることができる。制御装置２０が主点灯モードを終了させる動作については説明を省略する。なお、制御装置２０が、尿流検知センサ１８によって検知した尿流の状態に応じて照射される光の状態を変化させるように光照射装置１２を制御する場合には、制御装置２０が、尿流の比較的少ない場合に、所定間隔を短くして点滅を継続してもよい。また、さらなる変形例として制御装置２０は尿流検知センサ１８によって尿流の増加が検知された場合に、光照射装置１２の低照度レベルを高くして点滅させるように制御してもよい。このように制御することで、放尿時の尿流の状態を使用者に意識させることもできる。なお、制御装置２０は、尿流検知センサ１８によって検知した尿流の状態に応じて照射される光の状態を変化させるように光照射装置１２を制御していない場合にも、光照射装置１２を点滅させる制御を行うことができる。
【００９７】
次に、図２３により、本発明の一実施形態による小便器装置の第７変形例の制御装置における主点灯モードにおいて照射される光の状態について説明する。
図２３は、本発明の一実施形態による小便器装置の第７変形例の制御装置における主点灯モードにおいて、光照射装置の照度、及び光照射装置の作動状態を示すタイミングチャートである。本発明の一実施形態による小便器装置の第７変形例の制御装置における主点灯モードについて、本発明の一実施形態による小便器装置の制御装置における主点灯モードと異なる点のみを説明する。
【００９８】
図２３に示すように、制御装置２０は光照射装置１２を点滅させる制御を行う。時刻ｔ２０においては、主点灯モードが既に開始された状態であり、光照射装置１２の光の照度が高照度点灯状態となっている。制御装置２０は、高照度点灯状態を所定時間継続した後、光照射装置１２の光の照度を高照度点灯状態から消灯状態（未点灯状態）まで低下させ、所定時間継続した後、再び高照度点灯状態まで上昇させている。これを繰返すことによって、使用者に、連続点灯よりも輝点Ｔを消灯及び再点灯の変化により比較的強く意識させることができる。制御装置２０が主点灯モードを終了させる動作については説明を省略する。なお、制御装置２０が尿流検知センサ１８によって検知した尿流の状態に応じて照射される光の状態を変化させるように光照射装置１２を制御する場合には、制御装置２０が、尿流の比較的少ない場合に、所定間隔を短くして点滅を継続してもよい。また、さらなる変形例として制御装置２０は尿流検知センサ１８によって尿流の増加が検知された場合に、光照射装置１２を消灯状態ではなく低照度レベルで点滅させるように制御してもよい。このように制御することで、放尿時の尿流の状態を使用者に意識させることもできる。なお、制御装置２０は、尿流検知センサ１８によって検知した尿流の状態に応じて照射される光の状態を変化させるように光照射装置１２を制御していない場合にも、光照射装置１２を点滅させる制御を行うことができる。
【００９９】
本発明の一実施形態の小便器装置１によれば、制御装置２０は、人体検知センサ１６による使用者の小便器本体２への接近動作の検知に基づいて開始され、使用者の立ち止まりを抑制するように光照射装置１２を制御する主点灯前モードと、人体検知センサ１６による使用者の接近停止状態の検知に基づいて開始され、使用者が小便を当てるべきターゲット位置をボウル面４上に指示するように光照射装置１２を制御する主点灯モードと、を備えている。これにより、制御装置２０は、主点灯モードを実行する前に、人体検知センサ１６による使用者の小便器本体２への接近動作の検知に基づいて開始される主点灯前モードを実行する。よって、使用者が接近停止状態となる前の接近している途中の状態で主点灯モードが実行され、使用者がターゲット位置がボウル面４上に指示されたことにより接近途中で立ち止まり、使用者が立ち止まった位置から放尿を行うことにより尿が小便器本体２の外側に出てしまうことを抑制することができる。
【０１００】
また、本発明の一実施形態の小便器装置１によれば、制御装置２０は、人体検知センサ１６によって使用者の接近動作が検知されているときに、報知装置１４により、使用者に使用者を検知している状態であることを光により報知することができる。よって、使用者が接近停止状態となる前に、光照射装置１２がターゲット位置をボウル面４上に照射させなくとも、使用者は、自己が検知されている状態であることを報知装置１４により認識することができる。よって、使用者が小便器本体２に接近中に使用者を検知していることを使用者に報知させ、使用者が小便器装置１が故障していると誤認することを抑制できる。
【０１０１】
さらに、本発明の一実施形態の小便器装置１によれば、光照射装置１２及び報知装置１４は、スプレッダー１０内に収納されるので、小便器本体２のボウル面４にスプレッダー１０が取付けられた状態で、光照射装置１２及び報知装置１４がスプレッダー１０内に収納された状態となる。よって、光照射装置１２及び報知装置１４が独立して設けられることなく、小便器装置１の意匠性の低下を抑制できる。また、ボウル面４上のスプレッダー１０に報知装置１４が設けられるので、使用者が報知装置１４を視認しやすくできる。
【０１０２】
また、本発明の一実施形態の小便器装置１によれば、尿流の状態に応じて照射される光の状態を変化させるように光照射装置１２を制御することにより、例えば尿流が多い状態のときに光の照度を強める、又は例えば例えば尿流が比較的少ない状態のときに光の状態を点滅させる或いは光の照度を弱める等を実行させることができ、使用者に尿をターゲット位置に当てることを比較的強く意識させることができる。よって、尿が小便器本体２の外側に出てしまうことをより抑制することができる。
【符号の説明】
【０１０３】
１      小便器装置
２      小便器本体
４      ボウル面
１０    スプレッダー
１２    光照射装置
１４    報知装置
１６    人体検知センサ
１８    尿流検知センサ
２０    制御装置
Ａ      使用者
Ｄ      接近動作
Ｅ      離反動作
Ｆ      矢印
Ｉ      第１信号
Ｑ      第２信号
Ｔ      輝点
Ｌ      照射イメージ
Ｗ      壁面
【図１】
2020122321.tif 000003
【図２】
2020122321.tif 000004
【図３】
2020122321.tif 000005
【図４】
2020122321.tif 000006
【図５】
2020122321.tif 000007
【図６】
2020122321.tif 000008
【図７】
2020122321.tif 000009
【図８】
2020122321.tif 000010
【図９】
2020122321.tif 000011
【図１０】
2020122321.tif 000012
【図１１】
2020122321.tif 000013
【図１２】
2020122321.tif 000014
【図１３】
2020122321.tif 000015
【図１４】
2020122321.tif 000016
【図１５】
2020122321.tif 000017
【図１６】
2020122321.tif 000018
【図１７】
2020122321.tif 000019
【図１８】
2020122321.tif 000020
【図１９】
2020122321.tif 000021
【図２０】
2020122321.tif 000022
【図２１】
2020122321.tif 000023
【図２２】
2020122321.tif 000024
【図２３】
2020122321.tif 000025